【事件の表示】
　特許第２７０８２８８号「ワイヤレス入力システム」の請求項１ないし２に係る特許に対する特許異議の申立てについて、次のとおり決定する。
【結　論】
　訂正を認める。
　特許第２７０８２８８号の請求項１ないし２に係る特許を維持する。
【理　由】
第１　手続きの経緯
　本件特許第２７０８２８８号は、その発明について、平成３年５月１３日に特許出願され、平成９年１０月１７日に特許権の設定の登録がされたものであって、その後、本件請求項１及び２に係る特許について、平成１０年８月４日に田中完より特許異議の申立てがされ、これにより、当審における合議の結果、同年１０月１５日付けで本件請求項１及び２に係る特許について取消理由が通知されたところ、その明細書及び図面について、その指定期間内である同年１２月２４日に訂正の請求がされ、これに対して、当審における合議の結果、平成１１年５月２１日付けで訂正拒絶理由が通知されたところ、その指定期間内である同年７月３０日に意見書と共に手続補正書（訂正請求書）が提出されたものである。
　
第２　訂正の適否
１　補正の是非
（１）特許権者の求める補正の一つは、訂正請求書の訂正の要旨の一つである訂正事項ａに関するものであり、その内容は、手続補正書の補正の内容の欄に記載されたとおりの次のものである。
「「特許請求の範囲における請求項１の『オペレータの識別コード及びデータを入力する入力手段と、識別コードの入力確定を指示する指示手段と、識別コードを記憶する第１記憶手段と、識別コード及びデータをワイヤレス信号で送信する送信手段と、前記入力手段から入力された識別コードを前記指示手段による指示に基づいて前記第１記憶手段に記憶すると共に前記送信手段によりワイヤレス送信する第１制御手段とを備えたワイヤレス入力装置と、前記送信手段から送信されるワイヤレス信号を受信する受信手段と、識別コードを記憶する第２記憶手段と、前記受信手段によって受信されたワイヤレス信号内の識別コードを前記第２記憶手段に記憶する第２制御手段とを備えた本体装置とから構成されるワイヤレス入力システム。』とある記載を、明瞭でない記載の釈明を目的として『オペレータの識別コードとデータとを入力するための入力手段と、前記入力手段によって入力された前記識別コード及びデータをワイヤレス信号で送信する送信手段と、前記識別コードを記憶するための第１記憶手段と、前記識別コードの入力を確定するための指示手段とを備えたワイヤレス入力装置と、前記送信手段から送信される前記識別コード及びデータを受信する受信手段と、前記受信手段によって受信した前記識別コードを記憶する第２記憶手段とを備えた本体装置と、を有し、前記指示手段による指示に基づいて前記送信手段によって識別コード設定命令をワイヤレス送信し前記識別コードを前記第１記憶手段に記憶せしめる前記ワイヤレス入力装置に備えられた第１制御手段と、前記ワイヤレス送信された前記識別コード設定命令を受信して前記識別コードを前記第２記憶手段に記憶せしめる前記本体装置に備えられた第２制御手段と、をさらに有することを特徴とするワイヤレス入力システム。』と訂正致します。…（略）…。」を、「特許請求の範囲における請求項１の『オペレータの識別コード及びデータを入力する入力手段と、識別コードの入力確定を指示する指示手段と、識別コードを記憶する第１記憶手段と、識別コード及びデータをワイヤレス信号で送信する送信手段と、前記入力手段から入力された識別コードを前記指示手段による指示に基づいて前記第１記憶手段に記憶すると共に前記送信手段によりワイヤレス送信する第１制御手段とを備えたワイヤレス入力装置と、前記送信手段から送信されるワイヤレス信号を受信する受信手段と、識別コードを記憶する第２記憶手段と、前記受信手段によって受信されたワイヤレス信号内の識別コードを前記第２記憶手段に記憶する第２制御手段とを備えた本体装置とから構成されるワイヤレス入力システム。』とある記載を、特許請求の範囲の減縮を目的として『オペレータの識別コードとデータとを入力するための入力手段と、前記入力手段によって入力された前記識別コード及びデータをワイヤレス信号で送信する送信手段と、前記識別コードを記憶するための第１記憶手段と、前記識別コードの入力を確定するための指示手段とを備えたワイヤレス入力装置と、前記送信手段から送信される前記識別コード及びデータを受信する受信手段と、前記受信手段によって受信した前記識別コードを記憶する第２記憶手段と、前記識別コードを表示する表示手段とを備えた本体装置と、を有し、前記指示手段による指示に基づいて前記送信手段によって識別コード設定命令をワイヤレス送信し前記識別コードを前記第１記憶手段に記憶せしめる前記ワイヤレス入力装置に備えられた第１制御手段と、前記ワイヤレス送信された前記識別コード設定命令を受信して前記識別コードを前記表示手段に表示するとともに前記第２記憶手段に記憶せしめる前記本体装置に備えられた第２制御手段と、をさらに有することを特徴とするワイヤレス入力システム。』と訂正致します。…（略）…。」と補正する。」（手続補正書２頁２４行ないし７頁４行）
（なお、前記において、“…（略）…”は、検討を要しないために、省略したことを示す。）
（２）そこで、前記補正が、訂正請求書の要旨を変更するものであるか否かについて検討すると、補正事項に係る“識別コード設定命令を受信して識別コードを表示手段に表示する”点に関して、願書に添付した明細書には、「本体側で識別コードを受信すれば（ステップ104)、本体側の表示素子４０の画面上に識別コード内容の表示を行う（ステップ105)。この処理は、オペレーターの入力ミスや信号の混信により、設定しようとした識別コードと異なる識別コードが設定されることを防ぐために必要である。次いでオペレータは画面上に表示された識別コードについて正しいか誤っているかの判断を行い、コードレス・キーユニット２を操作する。正しければ実行キーを押して識別コードを設定する命令を本体側へ送信し（ステップ106→107）、識別コードをコードレス・キーユニット２内のＩＤバッファ６６にセットする（ステップ108)。誤りであれば再度コード列を入力する状態に戻る。本体側にて識別コード設定の命令を受信すると（ステップ109)、既に受信している識別コードを本体側のＩＤバッファ５０にセットし（ステップ110)、識別コードの登録処理を終了する。」（段落番号【００２５】ないし【００２６】）と記載されており、該記載によれば、本体装置において、受信した識別コードを表示手段に表示するのは、識別コード設定命令の受信前であることは明らかであり、また、他に、前記“識別コード設定命令を受信して識別コードを表示手段に表示する”ことを示唆する記載は見当たらない。
（３）とすれば、訂正明細書の特許請求の範囲の請求項１に係る発明の第２制御手段を「前記ワイヤレス送信された前記識別コード設定命令を受信して前記識別コードを前記第２記憶手段に記憶せしめる前記本体装置に備えられた」ものから、「前記ワイヤレス送信された前記識別コード設定命令を受信して前記識別コードを前記表示手段に表示するとともに前記第２記憶手段に記憶せしめる前記本体装置に備えられた」ものと補正すること、言い換えれば、“識別コード設定命令を受信して識別コードを表示手段に表示する”点は、願書に添付した明細書又は図面に記載された事項の範囲内のものではないから、前記補正は、訂正請求書の要旨を変更するものであると言わざるを得ない。
（４）したがって、前記補正は、特許法第１２０条の４第３項において準用する同法第１３１条第２項の規定に違反するものであるから、その他の補正内容について検討するまでもなく、本件補正は採用できない。
２　訂正の要旨
　特許権者の求める訂正の要旨は、訂正請求書の訂正の要旨の欄に記載されたとおりの次のものである。
（１）訂正事項ａ
「特許請求の範囲における請求項１の『オペレータの識別コード及びデータを入力する入力手段と、識別コードの入力確定を指示する指示手段と、識別コードを記憶する第１記憶手段と、識別コード及びデータをワイヤレス信号で送信する送信手段と、前記入力手段から入力された識別コードを前記指示手段による指示に基づいて前記第１記憶手段に記憶すると共に前記送信手段によりワイヤレス送信する第１制御手段とを備えたワイヤレス入力装置と、前記送信手段から送信されるワイヤレス信号を受信する受信手段と、識別コードを記憶する第２記憶手段と、前記受信手段によって受信されたワイヤレス信号内の識別コードを前記第２記憶手段に記憶する第２制御手段とを備えた本体装置とから構成されるワイヤレス入力システム。』とある記載を、明瞭でない記載の釈明を目的として『オペレータの識別コードとデータとを入力するための入力手段と、前記入力手段によって入力された前記識別コード及びデータをワイヤレス信号で送信する送信手段と、前記識別コードを記憶するための第１記憶手段と、前記識別コードの入力を確定するための指示手段とを備えたワイヤレス入力装置と、前記送信手段から送信される前記識別コード及びデータを受信する受信手段と、前記受信手段によって受信した前記識別コードを記憶する第２記憶手段とを備えた本体装置と、を有し、前記指示手段による指示に基づいて前記送信手段によって識別コード設定命令をワイヤレス送信し前記識別コードを前記第１記憶手段に記憶せしめる前記ワイヤレス入力装置に備えられた第１制御手段と、前記ワイヤレス送信された前記識別コード設定命令を受信して前記識別コードを前記第２記憶手段に記憶せしめる前記本体装置に備えられた第２制御手段と、をさらに有することを特徴とするワイヤレス入力システム。』と訂正致します。
　これに伴い、特許請求の範囲の記載と発明の詳細な説明の記載との整合を図るため、明細書【０００６】【課題を解決するための手段】の『第１の発明は、オペレータの識別コード及びデータを入力する入力手段と、識別コードの入力確定を指示する指示手段と、識別コードを記憶する第１記憶手段と、識別コード及びデータをワイヤレス信号で送信する送信手段と、前記入力手段から入力された識別コードを前記指示手段による指示に基づいて前記第１記憶手段に記憶すると共に前記送信手段によりワイヤレス送信する第１制御手段とを備えたワイヤレス入力装置と、前記送信手段から送信されるワイヤレス信号を受信する受信手段と、識別コードを記憶する第２記憶手段と、前記受信手段によって受信されたワイヤレス信号内の識別コードを前記第２記憶手段に記憶する第２制御手段とを備えた本体装置とから構成されるワイヤレス入力システムである。ワイヤレス入力装置において、入力手段、指示手段は、例えば、キーボードで構成される。第１記憶手段は、例えば、ＲＡＭで構成される。送信手段は、発光ダイオード、光信号制御回路等で構成される。第１制御手段は、例えば、マイクロプロセッサのＣＰＵで構成される。本体装置において、受信手段は、例えば、受光ダイオード、光信号制御回路等で構成される。第２記憶手段は、例えば、ＲＡＭで構成される。第２制御手段は、例えば、マイクロプロセッサのＣＰＵで構成される。』を『第１の発明は、オペレータの識別コード及びデータを入力する入力手段と、前記入力手段によって入力された前記識別コード及びデータをワイヤレス信号で送信する送信手段と、前記識別コードを記憶するための第１記憶手段と、前記識別コードの入力を確定するための指示手段とを備えたワイヤレス入力装置と、前記送信手段から送信される前記識別コード及びデータを受信する受信手段と、前記受信手段によって受信した前記識別コードを記憶する第２記憶手段とを備えた本体装置と、を有し、前記指示手段による指示に基づいて前記送信手段によって識別コード設定命令をワイヤレス送信し前記識別コードを前記第１記憶手段に記憶せしめる前記ワイヤレス入力装置に備えられた第１制御手段と、前記ワイヤレス送信された前記識別コード設定命令を受信して前記識別コードを前記第２記憶手段に記憶せしめる前記本体装置に備えられた第２制御手段とをさらに有することを特徴とするワイヤレス入力システムである。ワイヤレス入力装置において、入力手段、指示手段は、例えば、キーボードで構成される。第１記憶手段は、例えば、ＲＡＭで構成される。送信手段は、発光ダイオード、光信号制御回路等で構成される。第１制御手段は、例えば、マイクロプロセッサのＣＰＵで構成される。本体装置において、受信手段は、例えば、受光ダイオード、光信号制御回路等で構成される。第２記憶手段は、例えば、ＲＡＭで構成される。第２制御手段は、例えば、マイクロプロセッサのＣＰＵで構成される。』と訂正致します。」（訂正請求書２頁９行ないし４頁５行）
（２）訂正事項ｂ
「特許請求の範囲における請求項２の『ワイヤレス入力装置と、そのワイヤレス入力装置から送信されるワイヤレス信号を受信する受信手段と、予め識別コードを記憶する記憶手段と、前記受信手段により受信したワイヤレス信号内の識別コードと前記記憶手段に予め記憶された識別コードとを照合する照合手段と、前記照合手段による照合の不一致回数をカウントするカウント手段と、前記カウント手段によるカウント数が所定数に達した場合に識別コード照合が一致していない旨を報知する報知手段とを備えた本体装置とから構成されるワイヤレス入力システム。』とある記載を、減縮を目的として『識別コードを記憶した記憶手段を有するワイヤレス入力装置と、そのワイヤレス入力装置から送信される前記識別コードとデータとからなるワイヤレス信号を受信する受信手段と、予め識別コードを記憶する記憶手段と、前記受信手段により受信したワイヤレス信号内の識別コードと前記記憶手段に予め記憶された識別コードとを照合する照合手段と、前記照合手段による照合の不一致回数をカウントするカウント手段と、前記カウント手段によるカウント数が所定数に達した場合に識別コード照合が一致していない旨を報知する報知手段とを備えた本体装置とから構成されるワイヤレス入力システム。』と訂正致します。
　これに伴い、特許請求の範囲の記載と発明の詳細な説明の記載との整合を図るため、明細書【０００７】の『第２の発明は、ワイヤレス入力装置と、そのワイヤレス入力装置から送信されるワイヤレス信号を受信する受信手段と、予め識別コードを記憶する記憶手段と、前記受信手段により受信したワイヤレス信号内の識別コードと前記記憶手段に予め記憶された識別コードとを照合する照合手段と、前記照合手段による照合の不一致回数をカウントするカウント手段と、前記カウント手段によるカウント数が所定数に達した場合に識別コード照合が一致していない旨を報知する報知手段とを備えた本体装置とから構成されるワイヤレス入力システムである。本体装置において、受信手段は、例えば、受光ダイオード、光信号制御回路等で構成される。記憶手段は、例えば、ＲＡＭで構成される。照合手段、カウント手段は、例えば、マイクロプロセッサのＣＰＵで構成される。報知手段は液晶ディスプレイで構成される。』を『第２の発明は、識別コードを記憶した記憶手段を有するワイヤレス入力装置と、そのワイヤレス入力装置から送信される前記識別コードとデータとからなるワイヤレス信号を受信する受信手段と、予め識別コードを記憶する記憶手段と、前記受信手段により受信したワイヤレス信号内の識別コードと前記記憶手段に予め記憶された識別コードとを照合する照合手段と、前記照合手段による照合の不一致回数をカウントするカウント手段と、前記カウント手段によるカウント数が所定数に達した場合に識別コード照合が一致していない旨を報知する報知手段とを備えた本体装置とから構成されるワイヤレス入力システムである。本体装置において、受信手段は、例えば、受光ダイオード、光信号制御回路等で構成される。記憶手段は、例えば、ＲＡＭで構成される。照合手段、カウント手段は、例えば、マイクロプロセッサのＣＰＵで構成される。報知手段は液晶ディスプレイで構成される。』と訂正致します。」（訂正請求書４頁７行ないし５頁１５行）
３　訂正の目的の適否、新規事項の有無及び拡張又は変更の存否
（１）訂正事項ａについて
　ア　訂正事項ａにおける特許請求の範囲の請求項１に係る訂正について
　（ア）この訂正により、願書に添付した明細書の特許請求の範囲の請求項１に記載された第１制御手段を除く、入力手段、第１記憶手段、受信手段、及び、第２制御手段が、それぞれ、技術的に限定されたことは明らかである。
　（イ）そこで、前記第１制御手段について言及すると、該手段は、「前記入力手段から入力された識別コードを前記指示手段による指示に基づいて前記第１記憶手段に記憶すると共に送信手段によりワイヤレス送信する」ものから、「前記指示手段による指示に基づいて前記送信手段によって識別コード設定命令をワイヤレス送信し前記識別コードを前記第１記憶手段に記憶せしめる」ものへと訂正される結果、送信手段によりワイヤレス送信するデータに関しては、“指示手段による指示に基づいて送信手段によって識別コード設定命令をワイヤレス送信する”という限定がされた反面、“入力手段から入力された識別コードを送信手段によりワイヤレス送信する”という限定が外され、該訂正により、前記第１制御手段は、限定されつつも、一見、拡張ないし変更されたかのように見えるが、訂正された請求項１には、入力手段によって入力された識別コード及びデータをワイヤレス信号で送信する送信手段のことが記載されていると共に、識別コードであれ、データであれ、これらをワイヤレス信号で送信するための制御は当然に必要であり、また、願書に添付した明細書の特許請求の範囲の請求項１においては、前記の制御を、単に、第１制御手段に含ませていたに過ぎないのであるから、結局の所、この訂正により、前記第１制御手段は、拡張ないし変更されたとするのではなく、技術的に限定されたとするのが相当である。
　（ウ）なお、特許権者は、特許請求の範囲の請求項１に係る訂正を、明りようでない記載の釈明を目的とするものとしているが、前記（ア）及び（イ）に認定したとおり、該訂正は、特許請求の範囲の減縮を目的とするものとするのが相当である。
　イ　訂正事項ａにおける発明の詳細な説明に係る訂正について
　この訂正が、訂正された特許請求の範囲の記載と発明の詳細な説明の記載との整合を図るためのものであって、明りようでない記載の釈明を目的とするものであることは明らかである。
　ウ　以上のとおり、訂正事項ａによる訂正は、特許請求の範囲の減縮及び明りようでない記載の釈明を目的とし、また、願書に添付した明細書又は図面に記載した事項の範囲内においてなされており、さらに、実質上特許請求の範囲を拡張又は変更するものでもないことは明らかである。
（２）訂正事項ｂについて
　訂正事項ｂによる訂正も、訂正事項ａによる訂正と同様に、特許請求の範囲の減縮及び明りようでない記載の釈明を目的とし、また、願書に添付した明細書又は図面に記載した事項の範囲内においてなされており、さらに、実質上特許請求の範囲を拡張又は変更するものでもないことは明らかである。
４　独立特許要件
　先に認定のとおり、訂正事項ａによる訂正は、特許請求の範囲の請求項１を減縮する内容を含み、同ｂによる訂正は、同請求項２を減縮する内容を含むものであるから、以下、訂正後の特許請求の範囲の請求項１及び２に記載された事項により構成される発明が、それぞれ、特許出願の際独立して特許を受けることができるものであるか否かについて検討する。
（１）訂正発明
　ア　訂正発明１
　訂正明細書の請求項１に係る発明（以下、「訂正発明１」という。）は、該明細書の特許請求の範囲の請求項１に記載されたとおりの次の事項により構成されるものである。
「オペレータの識別コードとデータとを入力するための入力手段と、前記入力手段によって入力された前記識別コード及びデータをワイヤレス信号で送信する送信手段と、前記識別コードを記憶するための第１記憶手段と、前記識別コードの入力を確定するための指示手段とを備えたワイヤレス入力装置と、
　前記送信手段から送信される前記識別コード及びデータを受信する受信手段と、前記受信手段によって受信した前記識別コードを記憶する第２記憶手段とを備えた本体装置と、
を有し、
　前記指示手段による指示に基づいて前記送信手段によって識別コード設定命令をワイヤレス送信し前記識別コードを前記第１記憶手段に記憶せしめる前記ワイヤレス入力装置に備えられた第１制御手段と、
　前記ワイヤレス送信された前記識別コード設定命令を受信して前記識別コードを前記第２記憶手段に記憶せしめる前記本体装置に備えられた第２制御手段と、
をさらに有することを特徴とするワイヤレス入力システム。」
　イ　訂正発明２
　訂正明細書の請求項２に係る発明（以下、「訂正発明２」という。）は、同じく、請求項２に記載されたとおりの次の事項により構成されるものである。
「識別コードを記憶した記憶手段を有するワイヤレス入力装置と、そのワイヤレス入力装置から送信される前記識別コードとデータとからなるワイヤレス信号を受信する受信手段と、予め識別コードを記憶する記憶手段と、前記受信手段により受信したワイヤレス信号内の識別コードと前記記憶手段に予め記憶された識別コードとを照合する照合手段と、前記照合手段による照合の不一致回数をカウントするカウント手段と、前記カウント手段によるカウント数が所定数に達した場合に識別コード照合が一致していない旨を報知する報知手段とを備えた本体装置とから構成されるワイヤレス入力システム。」
（２）引用刊行物の内容
　ア　引用刊行物１の内容
　（ア）当審における合議の結果通知した訂正拒絶理由に引用した特開平２−１５５０１８号公報（平成２年６月１４日、特許庁発行。以下、「引用刊行物１」という。）には、データ入力装置が記載されており、これについて、「第２図に示すように、ワイヤレステンキーパッド４はほぼ板状に形成され、表面に操作ボタン１１が設けられ、裏面には対応する電算機を選択するためのＩＤコードのセットをする図示せぬディップスイッチが設けられている。」（２頁右下欄１３行ないし１７行）、「ワイヤレステンキーパッド４のディップスイッチは予めセットされていて、操作ボタン１１の操作によって、ＩＤコードを含む赤外線の高速データ光信号が、ワイヤレステンキーパッド４の発光部１０から出力される。」（３頁右上欄１３行ないし１７行）、「このデータ光信号は、発光部１０のレンズ作用によって広指向性を持ってキーボード２側に発光され、キートップ３ａ、３ｂ…３ｎの受光部９ａ、９ｂ…９ｎで受光される。受光されたデータ光信号は、光ファイバ５により光電変換器６に入力され、高速データ電気信号に変換されて１チップＣＰＵ７に入力される。」（３頁右上欄１８行ないし左下欄４行）、「キーボード２にはＩＤコードセットのためのディップスイッチは設けられておらず、１チップＣＰＵ７により最初に入力されたデータ光信号のＩＤコードが記憶され、以後はこのＩＤコードを基にしてデータ光信号の判定が行われる。」（３頁左下欄１０行ないし１４行）及び「このようにして、実施例によると複数台の電算機を配列して使用する場合でも、その内の一つの電算機に対してワイヤレステンキーパッド４を使用して、データを誤りなく入力させることが出来る。」（３頁左下欄１５行ないし１９行）との各事項が図面と共に記載されている。
　（イ）そして、前記記載事項のうち、「１チップＣＰＵ７により最初に入力されたデータ光信号のＩＤコードが記憶され、以後はこのＩＤコードを基にしてデータ光信号の判定が行われる」との記載及び「キーボード２側では最初に入力されるＩＤコードを記憶して以後の判定を行う」との記載を総合判断すれば、引用刊行物１に記載された発明のキーボードが、記憶手段、判定手段（即ち、ＩＤコード同士を照合するための照合手段）及び発光部から出力される前記ＩＤコードを記憶手段に記憶せしめる制御手段を備えるものであることが読み取れる。
　（ウ）そこで、前記（ア）ないし（イ）の事項を、訂正発明１の構成に準じて整理すれば、引用刊行物１には、次の事項により構成される発明が記載されているということができる。
　複数台ある電算機のうちの対応する一つの電算機を選択するためのＩＤコードを設定及び記憶するための（図示されない）ディップスイッチと、データを入力するための操作ボタンと、前記ディップスイッチによって設定された前記ＩＤコード及び前記操作ボタンによって入力されたデータを光信号で出力する発光部とを備えたワイヤレステンキーパッドと、
　前記発光部から出力されるＩＤコード及びデータを受信する受光部と、前記受光部によって受信した前記ＩＤコードを予め記憶する記憶手段と、前記受光部により受信した光信号内のＩＤコードと前記記憶手段に記憶されたＩＤコードとを照合する照合手段とを備えたキーボードを有する電算機本体と、
を有し、
　発光部から出力される前記ＩＤコードを前記記憶手段に記憶せしめる前記キーボードに備えられた制御手段と、
をさらに有するデータ入力装置
　イ　引用刊行物２の内容
　同じく引用した特開昭６２−１７１３４０号公報（昭和６２年７月２８日、特許庁発行。以下、「引用刊行物２」という。）には、無線装置が記載されており、これについて、「無線装置の電源を投入した後、操作部１９…（中略）…からＩＤコードを入力すると、ＣＰＵ９はコードをＥ２ＰＲＯＭ１７に書き込む。Ｅ２ＰＲＯＭ１７に書き込まれたＩＤコードはＣＰＵ９によってＲＡＭ１１に書き移され送受信の際、送受信機１３の制御に使用される。」（同刊行物２頁左下欄５行ないし１１行）との事項が図面と共に記載されている。
（３）訂正発明の容易性について
　ア　訂正発明１の容易性について
　（ア）訂正発明１と引用刊行物１に記載された発明とを対比すると、訂正発明１の「識別コード」は、引用刊行物１に記載された発明の「ＩＤコード」と同義であり、訂正発明１の「入力手段」の“データを入力するための部分”は、引用刊行物１に記載された発明の「データを入力するための操作ボタン」と同義であり、訂正発明１の「ワイヤレスで送信する送信手段」は、引用刊行物１に記載された発明の「光信号で出力する発光部」を包摂し、訂正発明１の「識別コードを記憶するための第１記憶手段」は、引用刊行物１に記載された発明の「ディップスイッチ」の“ＩＤコードを記憶するための部分”と同義であり、訂正発明１の「受信手段」は、引用刊行物１に記載された発明の「受光部」を包摂し、訂正発明１の「第２記憶手段」は、引用刊行物１に記載された発明の「記憶手段」と同義であり、訂正発明１の「ワイヤレス入力装置」、「本体装置」及び「ワイヤレス入力システム」は、それぞれ、引用刊行物１に記載された発明の「ワイヤレステンキーパッド」、「キーボードを有する電算機本体」及び「データ入力装置」に相当するから、両者は、
　データを入力するための入力手段と、識別コードと前記入力手段によって入力されたデータをワイヤレス信号で送信する送信手段と、識別コードを記憶するための第１記憶手段とを備えたワイヤレス入力装置と、
　前記送信手段から送信される前記識別コード及びデータを受信する受信手段と、前記受信手段によって受信した前記識別コードを記憶する第２記憶手段とを備えた本体装置と、
を有し、
　前記ワイヤレス送信された前記識別コードを前記第２記憶手段に記憶せしめる前記本体装置に備えられた第２制御手段と、
をさらに有するワイヤレス入力システム
である点で一致し、次の２点で相違する。
　〈相違点１〉
　訂正発明１では、識別コードが、オペレータを識別するためのものであるのに対して、引用刊行物１に記載された発明では、識別コードは、オペレータを識別するためのものではなく、複数ある電算機のうちの対応する一つの電算機を選択するためのものである点
　〈相違点２〉
　訂正発明１では、入力手段が、識別コードとデータとを入力するためのものであり、また、第１記憶手段が、前記入力手段によって入力された前記識別コードを記憶するためのものであると共に、ワイヤレス入力装置が、識別コードの入力を確定するための指示手段と、該指示手段による指示に基づいて送信手段によって識別コード設定命令をワイヤレス送信し前記識別コードを第１記憶手段に記憶せしめる第１制御手段とを備えており、更に、第２制御手段が、ワイヤレス送信された前記識別コード設定命令を受信して前記識別コードを第２記憶手段に記憶せしめるのに対して、引用刊行物１に記載された発明では、入力手段は、単に、データを入力するためのものに過ぎず、また、第１記憶手段も、単に、識別コードを記憶するためのものに過ぎないと共に、ワイヤレス入力装置は、前記指示手段及び第１制御手段を備えていず、更に、第２制御手段は、ワイヤレス送信された識別コードを第２記憶手段に記憶せしめるというに留まる点
　（イ）そこで、前記相違点について検討すると、相違点１についてはさておくとしても、相違点２については、当業者が容易に克服し得たことであると言うことはできない。
　（ウ）確かに、識別コードを操作ボタンの操作によって入力すると共に、該入力された前記識別コードを装置内部に設けた記憶手段に記憶させることは、引用刊行物２に記載されており、また、通常のデータを入力するための入力手段により識別コードも入力するようにすることは、例えば、特開昭６３−７３３６６号公報に記載された事項からして、本件に係る特許出願の出願前に当業者に周知であるから、引用刊行物１に記載された発明において、入力手段を、識別コードとデータとを入力するためのものとする共に、第１記憶手段を、前記入力手段から入力された前記識別コードを記憶するためのものとすることは、当業者が容易に為し得た構成変更に相当するということができ、また、入力確定を指示することによってデータ入力を行うようにすることは、例えば、特開昭５６−１５７５２２及び同６１−２２３９１８各号公報に記載された事項からして、本件出願前に当業者に周知であるから、刊行物１記載の発明において、前記のように構成変更された場合に、更に、識別コードの入力を確定するための指示手段を設けることは、単なる周知技術の付加に過ぎないということができる。
　（エ）しかしながら、訂正発明１は、前記の点に留まらず、更に、第１制御手段を、指示手段による指示に基づいて送信手段によって識別コード設定命令をワイヤレス送信するものとすると共に、第２制御手段を、ワイヤレス送信された前記識別コード設定命令を受信して前記識別コードを第２記憶手段に記憶せしめるものとする点を構成要件とするものであり、この点は、引用刊行物２ないし前記周知技術を加味しても、当業者が容易に想到実施し得たことであるとすることはできない。
　（オ）そして、訂正発明１は、前記の点の構成要件を備えることにより、引用刊行物１ないし２に記載された発明、更には前記周知技術からは予測し得ない特有の作用効果を奏するものである。
　（カ）したがって、訂正発明１は、当業者が引用刊行物１ないし２に記載された発明及び周知技術に基づいて容易に発明をすることができたものであるとすることはできない。
　イ　訂正発明２の容易性について
　（ア）訂正発明２と引用刊行物１に記載された発明とを対比すると、訂正発明２の「識別コード」は、引用刊行物１に記載された発明の「ＩＤコード」と同義であり、訂正発明２の「識別コードを記憶した記憶手段」は、引用刊行物１に記載された発明の「ディップスイッチ」の“ＩＤコードを記憶するための部分”と同義であり、訂正発明２の「受信手段」は、引用刊行物１に記載された発明の「受光部」を包摂し、訂正発明２の「予め識別コードを記憶する記憶手段」は、引用刊行物１に記載された発明の「ＩＤコードを予め記憶する記憶手段」と同義であり、訂正発明２の「照合手段」は、引用刊行物１に記載された発明の「照合手段」と同義であり、訂正発明１の「ワイヤレス入力装置」、「本体装置」及び「ワイヤレス入力システム」は、それぞれ、引用刊行物１に記載された発明の「ワイヤレステンキーパッド」、「キーボードを有する電算機本体」及び「データ入力装置」に相当するから、両者は、
　識別コードを記憶した記憶手段を有するワイヤレス入力装置と、そのワイヤレス入力装置から送信される前記識別コードとデータとからなるワイヤレス信号を受信する受信手段と、予め識別コードを記憶する記憶手段と、前記受信手段により受信したワイヤレス信号内の識別コードと前記記憶手段に予め記憶された識別コードとを照合する照合手段とを備えた本体装置とから構成されるワイヤレス入力システム
である点で一致し、次の点で相違する。
　〈相違点〉
　訂正発明２では、本体装置が、照合手段による照合の不一致回数をカウントするカウント手段と、前記カウント手段によるカウント数が所定数に達した場合に識別コードが一致していない旨を報知する報知手段とを備えているのに対して、引用刊行物１に記載された発明では、本体装置は、前記カウント手段及び報知手段を備えていない点
　（イ）そこで、前記相違点について検討すると、確かに、受信した識別コードと予め記憶された識別コードとを照合する照合手段を備える入力システムにおいて、前記照合手段による照合の不一致回数をカウントするカウント手段と、前記カウント手段によるカウント数が所定数に達した場合に識別コード照合が一致していない旨を報知する報知手段とを備えることは、例えば、特開昭５１−９２６９６及び同６１−２１１７５３各号公報に記載された事項からして、本件に係る特許出願の出願前に当業者に周知であるから、刊行物１に記載された発明において、前記照合手段による照合の不一致回数をカウントするカウント手段と、前記カウント手段によるカウント数が所定数に達した場合に識別コード照合が一致していない旨を報知する報知手段とを本体装置に備えるようにすることは、当業者が容易に想到実施し得たことであると言えないこともない。
　（ウ）しかしながら、前記（２）アに認定したとおり、引用刊行物１に記載された発明においては、識別コードは、複数台ある電算機のうちの対応する一つの電算機を選択するためのものであるから、ある電算機で受信した識別コードが、予め記憶した識別コードと一致しない場合には、その電算機は、単に、識別コードに付随するデータを受け取らない（識別コードに付随するデータは、受信した識別コードが一致する電算機が受け取ることになる）というに過ぎず、本質的に、照合手段による照合の不一致回数をカウントし、且つ、該カウントによる数が所定数に達した場合に識別コードが一致していない旨の報知をする必要性のないものである。
　（エ）してみれば、前記周知技術があるとしても、引用刊行物１に記載された発明において、該周知技術を適用する余地はないから、この相違点については、当業者が容易に克服し得たことであるとすることはできない。
　（オ）そして、訂正発明２は、前記の点の構成要件を備えることにより、引用刊行物１に記載された発明及び前記周知技術からは予測し得ない特有の作用効果を奏するものである。
　（カ）したがって、訂正発明２は、引用刊行物１に記載された発明及び周知技術に基づいて当業者が容易に発明をすることができたものであるとすることはできない。
（４）以上のとおり、訂正発明１及び２のいずれも、特許法第２９条第２項の規定により特許出願の際独立して特許を受けることができないものではない。
　また、他に、訂正発明１及び２について、特許出願の際独立して特許を受けることができないものとする理由は見いだせない。
５　訂正の認否
　以上のとおりであって、本件訂正は、特許法第１２０条の４第２項ただし書きに掲げる事項を目的とするものであり、また、同第３項において準用する同法第１２６条第２項ないし第４項の規定及び特許法等の一部を改正する法律（平成６年法律第１１６号）附則第６条第１項の規定に適合するものであるから、当該訂正は認める。
　
第３　特許異議申立て
１　特許異議申立ての概要
　特許異議申立人田中完は、理由として、本件請求項１及び２に係る発明は、いずれも、甲第１号証及び同２号証に記載された発明に基づいて当業者が容易に発明をすることができたものであって、特許法第２９条第２項の規定により、特許を受けることができないものであるから、本件請求項１及び２に係る特許は、拒絶の査定をしなければならない特許出願に対してされたものに該当し、取り消されるべきである旨主張すると共に、甲第１号証及び同２号証として、それぞれ、引用刊行物１及び２を提示している。
２　特許異議申立てについての検討
（１）本件請求項に係る発明
　前記第２に認定のとおり、訂正が認められることから、本件請求項１及び２に係る発明は、それぞれ、前記第２の４（１）ア及びイに掲げたとおりのものである。
（２）本件請求項に係る発明と甲号証に記載された発明との対比・判断
　そして、前記第２の４における認定から、本件請求項１及び２に係る発明のいずれも、甲第１号証及び同２号証に記載された発明に基づいて当業者が容易に発明をすることができたものでもないことは明らかである。
（３）なお、本件請求項２に係る発明について、特許異議申立人田中完は、「ＩＤコードの不一致をカウントし、また不一致を報知する相違点は、本特許出願前に銀行のＡＴＭとＩＤカード利用による現金振込みや現金払い出しシステムで実施されている周知手段に過ぎないものである。従って、そのような周知手段を項第１号証に適用することは、いわゆる当業者にとって容易である。」（特許異議申立書７頁末行ないし８頁４行）と主張するが、引用刊行物１に記載された発明に前記周知手段を適用する余地のないことは、前記第２の４（３）イ（ウ）ないし（エ）に認定のとおりであるから、前記主張は採用できない。
（もっとも、前記周知手段においては、ＩＤコードは、記憶手段に記憶されたものではなく、入力手段によりその都度入力されるものであるから、仮に、引用刊行物１に記載された発明に前記周知手段を適用することが可能であるとしても、本件請求項２に係る発明の構成要件である「識別コードを記憶した記憶手段を有する」点は、直ちには出てこないと言うべきである。）
　
第４　結び
　以上のとおりであるから、特許異議申立ての理由及び証拠によっては、本件請求項１及び２に係る特許を取り消すことはできない。
　また、他に本件請求項１及び２に係る特許を取り消すべき理由を発見しない。
　したがって、本件請求項１及び２に係る特許は、拒絶の査定をしなければならない特許出願に対してされたものではない。
　よって、特許法等の一部を改正する法律（平成６年法律第１１６号）附則第１４条の規定に基づく特許法等の一部を改正する法律の施行に伴う経過措置を定める政令（平成７年政令第２０５号）第４条第２項の規定により、結論のとおり決定する。
【異議決定日】
平成１２年９月２１日（２０００．９．２１）
【訂正の要旨】
＜訂正の要旨＞
１　その１
　特許請求の範囲における請求項１の『オペレータの識別コード及びデータを入力する入力手段と、識別コードの入力確定を指示する指示手段と、識別コードを記憶する第１記憶手段と、識別コード及びデータをワイヤレス信号で送信する送信手段と、前記入力手段から入力された識別コードを前記指示手段による指示に基づいて前記第１記憶手段に記憶すると共に前記送信手段によりワイヤレス送信する第１制御手段とを備えたワイヤレス入力装置と、前記送信手段から送信されるワイヤレス信号を受信する受信手段と、識別コードを記憶する第２記憶手段と、前記受信手段によって受信されたワイヤレス信号内の識別コードを前記第２記憶手段に記憶する第２制御手段とを備えた本体装置とから構成されるワイヤレス入カシステム。』とある記載を、特許請求の範囲の減縮を目的として、『オペレータの識別コードとデータとを入力するための入力手段と、前記入力手段によって入力された前記識別コード及びデータをワイヤレス信号で送信する送信手段と、前記識別コードを記憶するための第１記憶手段と、前記識別コードの入力を確定するための指示手段とを備えたワイヤレス入力装置と、前記送信手段から送信される前記識別コード及びデータを受信する受信手段と、前記受信手段によって受信した前記識別コードを記憶する第２記憶手段とを備えた本体装置と、を有し、前記指示手段による指示に基づいて前記送信手段によって識別コード設定命令をワイヤレス送信し前記識別コードを前記第１記憶手段に記憶せしめる前記ワイヤレス入力装置に備えられた第１制御手段と、前記ワイヤレス送信された前記識別コード設定命令を受信して前記識別コードを前記第２記憶手段に記憶せしめる前記本体装置に備えられた第２制御手段と、をさらに有することを特徴とするワイヤレス入カシステム。』と訂正する。
２　その２
　その１の訂正に伴い、特許請求の範囲の記載と発明の詳細な説明の記載との整合を図るため、明細書【０００６】【課題を解決するための手段】の『第１の発明は、オペレータの識別コード及びデータを入力する入力手段と、識別コードの入力確定を指示する指示手段と、識別コードを記憶する第１記憶手段と、識別コード及びデータをワイヤレス信号で送信する送信手段と、前記入力手段から入力された識別コードを前記指示手段による指示に基づいて前記第１記憶手段に記憶すると共に前記送信手段によりワイヤレス送信する第１制御手段とを備えたワイヤレス入力装置と、前記送信手段から送信されるワイヤレス信号を受信する受信手段と、識別コードを記憶する第２記憶手段と、前記受信手段によって受信されたワイヤレス信号内の識別コードを前記第２記憶手段に記憶する第２制御手段とを備えた本体装置とから構成されるワイヤレス入カシステムである。ワイヤレス入力装置において、入力手段、指示手段は、例えば、キーボードで構成される。第１記憶手段は、例えば、ＲＡＭで構成される。送信手段は、発光ダイオード、光信号制御回路等で構成される。第１制御手段は、例えば、マイクロプロセッサのＣＰＵで構成される。本体装置において、受信手段は、例えば、受光ダイオード、光信号制御回路等で構成される。第２記憶手段は、例えば、ＲＡＭで構成される。第２制御手段は、例えば、マイクロプロセッサのＣＰＵで構成される。』とある記載を、明りょうでない記載の釈明を目的として、『第１の発明は、オペレータの識別コード及びデータを入力する入力手段と、前記入力手段によって入力された前記識別コード及びデータをワイヤレス信号で送信する送信手段と、前記識別コードを記憶するための第１記憶手段と、前記識別コードの入力を確定するための指示手段とを備えたワイヤレス入力装置と、前記送信手段から送信される前記識別コード及びデータを受信する受信手段と、前記受信手段によって受信した前記識別コードを記憶する第２記憶手段とを備えた本体装置と、を有し、前記指示手段による指示に基づいて前記送信手段によって識別コード設定命令をワイヤレス送信し前記識別コードを前記第１記憶手段に記憶せしめる前記ワイヤレス入力装置に備えられた第１制御手段と、前記ワイヤレス送信された前記識別コード設定命令を受信して前記識別コードを前記第２記憶手段に記憶せしめる前記本体装置に備えられた第２制御手段とをさらに有することを特徴とするワイヤレス入カシステムである。ワイヤレス入力装置において、入力手段、指示手段は、例えば、キーボードで構成される。第１記憶手段は、例えば、ＲＡＭで構成される。送信手段は、発光ダイオード、光信号制御回路等で構成される。第１制御手段は、例えば、マイクロプロセッサのＣＰＵで構成される。本体装置において、受信手段は、例えば、受光ダイオード、光信号制御回路等で構成される。第２記憶手段は、例えば、ＲＡＭで構成される。第２制御手段は、例えば、マイクロプロセッサのＣＰＵで構成される。』と訂正する。
３　その３
　特許請求の範囲における請求項２の『ワイヤレス入力装置と、そのワイヤレス入力装置から送信されるワイヤレス信号を受信する受信手段と、予め識別コードを記憶する記憶手段と、前記受信手段により受信したワイヤレス信号内の識別コードと前記記憶手段に予め記憶された識別コードとを照合する照合手段と、前記照合手段による照合の不一致回数をカウントするカウント手段と、前記カウント手段によるカウント数が所定数に達した場合に識別コード照合が一致していない旨を報知する報知手段とを備えた本体装置とから構成されるワイヤレス入カシステム。』とある記載を、特許請求の範囲の減縮を目的として、『識別コードを記憶した記憶手段を有するワイヤレス入力装置と、そのワイヤレス入力装置から送信される前記識別コードとデータとからなるワイヤレス信号を受信する受信手段と、予め識別コードを記憶する記憶手段と、前記受信手段により受信したワイヤレス信号内の識別コードと前記記憶手段に予め記憶された識別コードとを照合する照合手段と、前記照合手段による照合の不一致回数をカウントするカウント手段と、前記カウント手段によるカウント数が所定数に達した場合に識別コード照合が一致していない旨を報知する報知手段とを備えた本体装置とから構成されるワイヤレス入カシステム。』と訂正致する。
４　その４
　その３の訂正に伴い、特許請求の範囲の記載と発明の詳細な説明の記載との整合を図るため、明細書【０００７】の『第２の発明は、ワイヤレス入力装置と、そのワイヤレス入力装置から送信されるワイヤレス信号を受信する受信手段と、予め識別コードを記憶する記憶手段と、前記受信手段により受信したワイヤレス信号内の識別コードと前記記憶手段に予め記憶された識別コードとを照合する照合手段と、前記照合手段による照合の不一致回数をカウントするカウント手段と、前記カウント手段によるカウント数が所定数に達した場合に識別コード照合が一致していない旨を報知する報知手段とを備えた本体装置とから構成されるワイヤレス入カシステムである。本体装置において、受信手段は、例えば、受光ダイオード、光信号制御回路等で構成される。記憶手段は、例えば、ＲＡＭで構成される。照合手段、カウント手段は、例えば、マイクロプロセッサのＣＰＵで構成される。報知手段は液晶ディスプレイで構成される。』とある記載を、明りょうでない記載の釈明を目的として、『第２の発明は、識別コードを記憶した記憶手段を有するワイヤレス入力装置と、そのワイヤレス入力装置から送信される前記識別コードとデータとからなるワイヤレス信号を受信する受信手段と、予め識別コードを記憶する記憶手段と、前記受信手段により受信したワイヤレス信号内の識別コードと前記記憶手段に予め記憶された識別コードとを照合する照合手段と、前記照合手段による照合の不一致回数をカウントするカウント手段と、前記カウント手段によるカウント数が所定数に達した場合に識別コード照合が一致していない旨を報知する報知手段とを備えた本体装置とから構成されるワイヤレス入カシステムである。本体装置において、受信手段は、例えば、受光ダイオード、光信号制御回路等で構成される。記憶手段は、例えば、ＲＡＭで構成される。照合手段、カウント手段は、例えば、マイクロプロセッサのＣＰＵで構成される。報知手段は液晶ディスプレイで構成される。』と訂正する。
（５４）【発明の名称】
ワイヤレス入カシステム
（５７）【特許請求の範囲】
　　【請求項１】
　
オペレータの識別コードとデータとを入力するための入力手段と、
前記識別コードを記憶するための第１記憶手段と、
　
前記送信手段から送信される前記識別コード及びデータを受信する受信手段と、前記受信手段によって受信した前記識別コードを記憶する第２記憶手段とを備えた本体装置と、
を有し、
　
前記指示手段による指示に基づいて前記送信手段によって識別コード設定命令をワイヤレス送信し前記識別コードを前記第１記憶手段に記憶せしめる前記ワイヤレス入力装置に備えられた第１制御手段と、
　
前記ワイヤレス送信された前記識別コード設定命令を受信して前記識別コードを前記第２記憶手段に記憶せしめる前記本体装置に備えられた第２制御手段と、をさらに有することを特徴とするワイヤレス入カシステム。
　　【請求項２】
　
識別コードを記憶した記憶手段を有する
前記識別コードとデータとからなる
【発明の詳細な説明】
　【０００１】
　　【産業上の利用分野】
　この発明は、ワードプロセッサ，パーソナルコンピュータ等に適用され、ワイヤレス信号にて情報を送信するワイヤレス入力装置とワイヤレス信号の情報を受信しその情報により制御する本体装置とを備えたワイヤレス入カシステムに関する。
　【０００２】
　　【従来の技術】
　従来、例えばＴＶやＶＴＲのワイヤレスのワイヤレスリモコンの場合、一般にリモコンの前面に発信素子が備えられ、本体側装置の正面には受信素子が備えられ、これらの素子間でワイヤレス信号の送受が行われている。このようなワイヤレスにて信号を送受する構成ば情報処理装置の分野においても利用されており、ワイヤレスキーボードを用いて遠隔制御を行う電子装置については、特開昭６１−９７１７号公報の「電子装置の制御方式」に構成の記載がある。また、特開昭６２−１６８２１８号公報の「分離可能キーボード」には、２以上のキーボード部に分割可能でそれぞれがワイヤレス信号を送信できるキーボードの構成が記載されている。
　【０００３】
　また従来の構成においては、複数のワイヤレス入力装置の使用による誤動作を防止するため、ワイヤレス入力装置ごとにユーザー識別（入力媒体識別）のための識別コードを設定することができる。この場合、ワイヤレス入力装置と本体装置それぞれについて同一符号からなる識別コードを設定していた。
　【０００４】
　　【発明が解決しようとする課題】
　しかしながら、上記したような従来の構成では、オペレータはワイヤレス入力装置または本体装置のどちらか一方で設定した識別コードを記憶しておき、他方の装置について識別コードを別途設定する必要がある。それにより、記憶違いによって設定を間違うという欠点や、設定操作がわずらわしいという欠点があった。また、オペレータが識別コードを誤って設定した場合、ワイヤレス入力装置から送られてきたデータに含まれている識別コードと、本体装置に設定されている識別コードとが不一致となって送信エラーとなるが、この場合に識別コードを確認する手段がないため、オペレータはハードウエアの故障と誤認することが多々あった。
　【０００５】
　この発明は以上の事情を考慮してなされたもので、簡単な操作でワイヤレス入力装置および本体装置それぞれに識別コードを設定することができ、また、オペレータが誤って設定された識別コードがワイヤレス入力装置から所定数入力された場合には識別コードが一致していない旨を報知することのできるワイヤレス入カシステムを提供する。
　【０００６】
　　【課題を解決するための手段】
　第１の発明は、
オペレータの識別コードとデータとを入力するための入力手段と、前記入力手段によって入力された前記識別コード及びデータをワイヤレス信号で送信する送信手段と、前記識別コードを記憶するための第１記憶手段と、前記識別コードの入力を確定するための指示手段とを備えたワイヤレス入力装置と、前記送信手段から送信される前記識別コード及びデータを受信する受信手段と、前記受信手段によって受信した前記識別コードを記憶する第２記憶手段とを備えた本体装置と、を有し、前記指示手段による指示に基づいて前記送信手段によって識別コード設定命令をワイヤレス送信し前記識別コードを前記第１記憶手段に記憶せしめる前記ワイヤレス入力装置に備えられた第１制御手段と、前記ワイヤレス送信された前記識別コード設定命令を受信して前記識別コードを前記第２記憶手段に記憶せしめる前記本体装置に備えられた第２制御手段とをさらに有することを特徴とするワイヤレス入カシステム
　【０００７】
　第２の発明は、
識別コードを記憶した記憶手段を有する
前記識別コードとデータとからなる
　【０００８】
　この発明における本体装置とは、データなどを入力する入力装置と、入力されたデータを処理する処理装置と、処理結果を出力する出力装置とから基本的に構成され、ワイヤレス入力装置とは、入力装置と併用されて補助入力装置として使用されるものである。また、ワイヤレス信号とは、赤外線信号、無線信号、超音波信号およびその他の空中伝播信号を含む。
　【０００９】
　　【作用】
　この発明に従えば、ワイヤレス入力装置にてユーザーのＩＤコードを入力し確定すると、ワイヤレス入力装置側のＩＤコードが設定され、同時に、確定したＩＤコードは本体装置へ送信され、本体装置側のＩＤコードとして設定される。オペレータがＩＤコードの設定を誤ると、操作エラーを報知する。
　【００１０】
　　【実施例】
　以下図に示す実施例に基づいてこの発明を詳述する。なお、これによってこの発明は限定されるものではない。図１はこの発明をワードプロセッサに適用した例を示す装置外観図である。１はラップトップタイプのワードプロセッサ本体であり、２はワイヤレス入力装置としてのコードレス・キーユニットである。本体１はその前側にキーボード部１１を備え、開閉可能な蓋部１２に液晶表示部１３を備え、その背後にプリンタ部１４を備えている。１５はワイヤレス信号の受信部であり、蓋部１２を回動可能に支持する本体ケースの側方外壁に設けられている。なお、キーボード部１１には、従来のラップトップタイプのワードプロセッサに配列されているキーと同じキーが配列されているが、この種のワードプロセッサに共通していることとしてキーボードの面積が制限されているため、独立したテンキーは存在しない。
　【００１１】
　またコードレス・キーユニット２は、キーボード部１１の右側にキーボード部１１と並べて配置することができるもので、手のひらに載置可能なサイズに形成された箱体からなり、キーボード部１１と並置された際に本体１の受信部１５と対向する位置となる箱体コーナー部（左側角部）に、ワイヤレス信号の送信部２１が設けられている。したがって、コードレス・キーユニット２をキーボード部１１の右側に並置した場合には、送信部２１と受信部１５とが対向する配置となるよう構成されている。
　【００１２】
　図２はコードレス・キーユニット２のキー配置を示したものである。図３は、図２において機能キー併用（機能キー押下による切り換え）で動作するキーを、説明を簡単にするため図２から分離させて示したものである。なお図３の各キーの表示は、図２のキーの表示と異なる色を用い、対応するキーの表面あるいは側面に記されている。したがってこのコードレス・キーユニット２からはテンキー入力ができ、加えて編集のための主要な操作、具体的には移動，複写，領域指定，カーソル移動などを行うことができる。
　【００１３】
　図４はコードレス・キーユニット２から本体１へ転送される転送データの構造を示している。データはＬＳＢから送信され、スタートビットは”０”、ストップビットは”１”、パリティビットは奇数パリティ（パリティビットを含めて”１”の数が奇数となるように”０”または”１”を出力する）である。
　【００１４】
　図５はその転送データの順序を示している。図中（１）はデータブロック（１１ビット）間の待ち時間１０４．２μＳを示し、（２）は前のキーデータから次のキーデータまでの待ち時間２０ｍＳ以上を示している。
　【００１５】
　　図６は図５におけるステータスコード群のビット構造を示したものであり、機能キーを押すとＤ５のビットが”１”になり、機能キーと同時に押された編集機能に対応するキーコード情報が、図７に表される情報として、図５に示すように全体が５バイトコードの情報でワードプロセッサ本体１へ送信される。そして本体１に送信された５バイトコードの情報は、後述する光／電気変換回路によって光信号コントロール回路へ送られ、次いでマイクロプロセッサにて演算処理された後、目的とする編集機能（コードレス・キーユニット側で指示した内容）となって文書データを編集する。
　【００１６】
　次に、図８はワードプロセッサ本体１の構成を示すブロック図である。図９はコードレス・キーユニット２の構成を示すブロック図である。図８において、３０はマイクロプロセッサであり本体全体の動作を機能させるＣＰＵからなる。マイクロプロセッサ３０は、ワイヤレス入力装置としてのコードレス・キーユニット２および本体のキーボード１１から出力されるキー信号を符号化して編集処理を行う。
　【００１７】
　３１は発振回路であり、本体の基本クロックを生成してＣＰＵに供給する。３２はＲＯＭであり本体の動作プログラム３３，キャラクタジェネレータ３４（ＣＧ），変換辞書３５などを格納しており、ＣＰＵの動作を可能にさせる。３６はＲＡＭでありワードプロセッサで作成した文書データ，制御情報などを記憶しＣＰＵの動作を可能にさせる。３７はフロッピーディスクコントローラ（ＦＤＣ）であり、フロッピーディスクドライブ３８（ＦＤＤ）を介しフロッピーディスク（図示しない）を本体１への入力として接続する。
　【００１８】
　３９は表示コントローラであり、表示素子４０に対して表示の制御を行う。この実施例において表示素子とは液晶表示装置から構成される。４１はプリンタコントローラであり、プリンタ４２の印刷動作を制御する。４３はコントローラであり、メモリ４４，Ｉ／Ｏコントロール４５，その他のコントロール回路４６からなり、メモリ４４に対してデータの書き込み／読み出し管理や，Ｉ／Ｏなどを接続する制御信号の管理を行う。
　【００１９】
　この実施例によるキー入力は、キーボード部１１についてはキーコントローラ４７の下に接続され、また、コードレス・キーユニット２については、電波／光→電気の変換回路４８を通し、光信号コントロール回路４９を用いてＣＰＵに接続される。
　【００２０】
　５０はコードレス・キーユニットを識別するための識別コードが設定されるＩＤバッファ（ＲＡＭ３６の一部が機能）である。本体では、コードレス・キーユニット２から送信された識別コードを受信し、受信した識別コードを本体内のＩＤバッファ５０に設定する。あるいは、本体側で設定された識別コードをＩＤバッファ５０に記憶する。５１はエラーカウンタ（ＲＡＭ３６の一部が機能）であり、送信データに含まれる識別コードと本体側の識別コードとが一致しない場合にエラーの回数をカウントするためのものである。
　【００２１】
　図９に示すコードレス・キーユニット２の構成において、ＣＰＵからなるマイクロプロセッサ６０は、コードレス・キーユニット２全体を制御する。ＲＯＭ６１にはコードレス・キーユニット２の制御プログラムが格納されている。ＲＡＭ６２はプログラム実行を助けるためのものである。コードレス・キーユニット２で入力できるキーはキーマトリクス６３で構成されており、キー配置については図２および図３に示した通りである。
　【００２２】
　このキーマトリクス６３から発生されるキー入力信号は、光信号コントロール回路６４を通し、さらに電気→電波／光変換回路６５を通してワイヤレス信号に変換され、空中伝播にて本体１へ送信される。６６はキー操作によって入力された識別コードを設定するためのＩＤバッファ（ＲＡＭ６２の一部が機能）である。このコードレス・キーユニット２では、入力した識別コードの入力確定指示も行われる。
　【００２３】
　以下、識別コードの登録処理を図１０に示すフローチャートにしたがって詳述する。まず、コードレス・キーユニット２を操作して、ユーザーの識別コードとして設定するコード列を入力する（ステップ１０１）。ここで識別コードとしては、数字、漢字、平仮名、カタカナ、アルファベット、記号などが考えられる。また、コード列の文字数も、記憶素子の容量が許せば何文字でも入力が可能である。
　【００２４】
　次に、コードレス・キーユニット２のキーボードから何らかのコード列が入力されると、コードレス・キーユニット２内では入力されたコード列が識別コードとして有効かどうかのチェックを行う（ステップ１０２）。このチェックは、例えば識別コードとして数字のみを登録可能にするときなどに必要である。チェックの結果、識別コード列として登録可能な内容であれば、そのコード列を本体側へ送信する（ステップ１０３）。また、登録不可能な内容であれば、再度コード列を入力する状態に戻る。
　【００２５】
　本体側で識別コードを受信すれば（ステップ１０４）、本体側の表示素子４０の画面上に識別コード内容の表示を行う（ステップ１０５）。この処理は、オペレーターの入力ミスや信号の混信により、設定しようとした識別コードと異なる識別コードが設定されることを防ぐために必要である。
　【００２６】
　次いでオペレータは画面上に表示された識別コードについて正しいか誤っているかの判断を行い、コードレス・キーユニット２を操作する。正しければ実行キーを押して識別コードを設定する命令を本体側へ送信し（ステップ１０６→１０７）、識別コードをコードレス・キーユニット２内のＩＤバッファ６６にセットする（ステップ１０８）。誤りであれば再度コード列を入力する状態に戻る。本体側にて識別コード設定の命令を受信すると（ステップ１０９）、既に受信している識別コードを本体側のＩＤバッファ５０にセットし（ステップ１１０）、識別コードの登録処理を終了する。
　【００２７】
　次に、図１１のフローチャートにしたがって識別コード設定エラーを報知する処理について説明する。まず、コードレス・キーユニット２から送信される１データを受信し（ステップ１２０）、受信したデータ内に含まれている識別コードを取り出し（ステップ１２１）、その取り出した識別コードと、本体のＩＤバッファ５０に登録されている識別コードとが一致しているかどうかをチェックする（ステップ１２２）。チェックの結果、両者の識別コードが一致している場合（ステップ１２３）は、受信したデータをキー入力データとしてマイクロプロセッサ３０を経由してデータ処理する（ステップ１２４）。
　【００２８】
　ステップ１２３において、識別コードが一致していない場合は、受信したデータを無効データとし、エラーカウンタ５１を”１”インクリメントする（ステップ１２５）。次いでエラーの回数が予め設定した数ｎと一致したかどうかを判断し（ステップ１２６）、一致した場合は報知手段として機能するマイクロプロセッサ３０を経由して表示素子４０の画面上に、識別コードが一致していない旨を知らせるメッセージを表示する（ステップ１２７）。なお、上述の実施例では識別コード設定エラーをメッセージにて表示する構成について説明したが、報知手段はこれに限らず、音声で報知する構成であってもよい。
　【００２９】
　　【発明の効果】
　この発明によれば、ワイヤレス入力装置側での設定だけで本体側のユーザー識別コードも自動的に設定されるため、オペレーターはワイヤレス入力装置側で設定した識別コードを記憶しておく必要がなく、よって設定操作が１回で完了するため識別コード設定操作を大幅に簡略化させることができる。この発明によれば、識別コード設定時の誤操作をオペレータに報知することができる。
【図面の簡単な説明】
　　【図１】
　この発明の情報処理装置の構成を示す外観図である。
　　【図２】
　実施例によるコードレス・キーユニットのキー配置を示す説明図である。
　　【図３】
　図２の機能キー併用によって動作するキー配置を示す説明図である。
　　【図４】
　実施例によるコードレス・キーユニットの転送データの構造を示す説明図である。
　　【図５】
　図４に示す転送データの転送順序を示す説明図である。
　　【図６】
　図５に示すステータスコード群のビット構造を示す説明図である。
　　【図７】
　図６に示すキーコードの構造を示す説明図である。
　　【図８】
　実施例による本体の構成を示すブロック図である。
　　【図９】
　実施例によるコードレス・キーユニットの構成を示すブロック図である。
　　【図１０】
　実施例による識別コード設定処理を説明するフローチャートである。
　　【図１１】
　第２の実施例による識別コード設定エラー報知処理を説明するフローチャートである。
　　【符号の説明】
１　ワードプロセッサ本体
２　コードレス・キーユニット
１１　キーボード部
１３　表示部
１５　受光部
２１　送信部